(57)【要約】      （修正有）【課題】ユーザに対して技術的に凝った撮像を行うことを喚起させることができる撮像装置、撮像方法および撮像プログラムを提供する。【解決手段】撮像パラメータに基づいて被写体を撮像して該被写体の画像データを生成する撮像部２と、撮像部が順次生成した複数の画像データにおける被写体の動きを解析する画像解析部５４と、画像解析部の解析結果に応じて、露光期間中の被写体の動きに適合した効果を生じうる撮像パラメータの情報を用いて撮像のアドバイス情報を生成するアドバイス情報生成部５５と、を備える。【選択図】図１
2017069673.tif 000002
【特許請求の範囲】
【請求項１】
撮像パラメータに基づいて被写体を撮像して該被写体の画像データを生成する撮像部と、
前記撮像部が順次生成した複数の前記画像データにおける前記被写体の動きを解析する画像解析部と、
前記画像解析部の解析結果に応じて、露光期間中の前記被写体の動きに適合した効果を生じうる前記撮像パラメータの情報を用いて撮像のアドバイス情報を生成するアドバイス情報生成部と、
を備えたことを特徴とする撮像装置。
【請求項２】
前記被写体の動き情報と前記被写体の動きに適合した効果を生じ得る前記撮像パラメータの情報とを関連付けて記憶する撮像パラメータ情報記憶部をさらに備え、
前記アドバイス情報生成部は、
前記被写体の動き情報と関連する前記撮像パラメータの情報を前記撮像パラメータ情報記憶部から抽出し、該撮像パラメータの情報を用いて前記アドバイス情報を生成することを特徴とする請求項１に記載の撮像装置。
【請求項３】
前記撮像パラメータの情報は、前記撮像パラメータの時間変化を与えるプロファイル情報を含み、
前記アドバイス情報生成部は、
前記プロファイル情報を用いたシミュレーションを行うことによって前記アドバイス情報としてのアドバイス画像データを生成することを特徴とする請求項１または２に記載の撮像装置。
【請求項４】
所定の被写体の動きに適合した効果を生じうるアドバイスパターン画像データを記憶するアドバイスパターン画像記憶部をさらに備え、
前記画像解析部は、
前記被写体の動きに基づいて前記画像データに対応する前記アドバイス画像データを生成可能であるか否かを判定し、
前記アドバイス情報生成部は、
前記アドバイス画像データが生成可能である場合、前記画像データを用いて前記アドバイス画像データを生成し、
前記アドバイス画像データが生成不可能である場合、前記アドバイスパターン画像記憶部から前記画像データと最も相関が強い前記アドバイスパターン画像データを前記アドバイス情報として抽出することを特徴とする請求項３に記載の撮像装置。
【請求項５】
前記撮像部が撮像する際の露光期間を複数の短露光期間に分割し、各短露光期間における画像データを生成する分割露光モードを設定可能であり、
前記画像解析部は、
当該撮像装置が前記分割露光モードに設定されている場合、前記各短露光期間における画像データを用いて前記被写体の動きを解析することを特徴とする請求項１〜４のいずれか一項に記載の撮像装置。
【請求項６】
当該撮像装置が前記分割露光モードに設定されている場合、前記各短露光期間における画像データを積算することによって全露光期間の画像データを生成する画像処理部をさらに備えたことを特徴とする請求項５に記載の撮像装置。
【請求項７】
前記アドバイス画像データが有する前記撮像パラメータの情報に基づいた前記画像データを前記撮像部に生成させるアドバイス反映モードを設定可能であることを特徴とする請求項１〜６のいずれか一項に記載の撮像装置。
【請求項８】
前記撮像部は、
被写体からの光を集光する光学系であって光軸方向に移動可能な光学系と、
前記光学系が集光した光を光電変換して電気信号を出力する撮像素子であって受光面と平行な方向へ移動可能な撮像素子と、
前記光学系および前記撮像素子を駆動する駆動部と、
を有し、
前記駆動部は、
当該撮像装置が前記アドバイス反映モードに設定されている場合、前記撮像パラメータの情報に基づいて前記光学系および前記撮像素子を駆動することを特徴とする請求項７に記載の撮像装置。
【請求項９】
前記撮像パラメータの情報を前記アドバイス情報とともに表示する表示部と、
前記撮像パラメータの変更指示信号の入力を受け付ける入力部と、
前記入力部が受け付けた前記変更指示信号に基づいて前記撮像パラメータを変更する撮像パラメータ制御部と、
をさらに備えたことを特徴とする請求項１〜８のいずれか一項に記載の撮像装置。
【請求項１０】
撮像パラメータに基づいて被写体を撮像して該被写体の画像データを生成する撮像装置が行う撮像方法であって、
前記撮像装置が順次生成した複数の前記画像データにおける前記被写体の動きを解析する画像解析ステップと、
前記画像解析ステップの解析結果に応じて、露光期間中の前記被写体の動きに適合した効果を生じうる前記撮像パラメータの情報を用いて撮像のアドバイス情報を生成するアドバイス情報生成ステップと、
を有することを特徴とする撮像方法。
【請求項１１】
撮像パラメータに基づいて被写体を撮像して該被写体の画像データを生成する撮像装置に、
前記撮像装置が順次生成した複数の前記画像データにおける前記被写体の動きを解析する画像解析ステップと、
前記画像解析ステップの解析結果に応じて、露光期間中の前記被写体の動きに適合した効果を生じうる前記撮像パラメータの情報を用いて撮像のアドバイス情報を生成するアドバイス情報生成ステップと、
を実行させることを特徴とする撮像プログラム。
【発明の詳細な説明】
【技術分野】
【０００１】
本発明は、被写体を撮像して該被写体の画像データを生成する撮像装置、撮像方法および撮像プログラムに関する。
【背景技術】
【０００２】
従来、被写体を撮像して該被写体の画像データを生成する撮像装置を用いて流し撮りを行う際に、所望の撮像画像を容易に取得することができる技術が知られている（例えば、特許文献１を参照）。この撮像装置では、本体部に対して取り外し可能に装着されるレンズ装置の振れを検出し、検出結果に基づいて撮像装置が流し取り状態にあるか否かを判定し、流し撮り状態にあると判定した場合、露光期間内の所定時間経過後に像振れ補正レンズを流し撮り方向に移動させる。
【先行技術文献】
【特許文献】
【０００３】
【特許文献１】特開２０１５−５２７３５号公報
【発明の概要】
【発明が解決しようとする課題】
【０００４】
しかしながら、上述した撮像装置を使用するにあたって、流し撮りを意図した撮像を行うか否かはユーザの意思次第である。このため、例えばユーザが初心者である場合には、流し撮りのような技術的に凝った撮像を自主的に行うとは限らない。
【０００５】
本発明は、上記に鑑みてなされたものであって、ユーザに対して技術的に凝った撮像を行うことを喚起させることができる撮像装置、撮像方法および撮像プログラムを提供することを目的とする。
【課題を解決するための手段】
【０００６】
上述した課題を解決し、目的を達成するために、本発明に係る撮像装置は、撮像パラメータに基づいて被写体を撮像して該被写体の画像データを生成する撮像部と、前記撮像部が順次生成した複数の前記画像データにおける前記被写体の動きを解析する画像解析部と、前記画像解析部の解析結果に応じて、露光期間中の前記被写体の動きに適合した効果を生じうる前記撮像パラメータの情報を用いて撮像のアドバイス情報を生成するアドバイス情報生成部と、を備えたことを特徴とする。
【０００７】
本発明に係る撮像方法は、撮像パラメータに基づいて被写体を撮像して該被写体の画像データを生成する撮像装置が行う撮像方法であって、前記撮像装置が順次生成した複数の前記画像データにおける前記被写体の動きを解析する画像解析ステップと、前記画像解析ステップの解析結果に応じて、露光期間中の前記被写体の動きに適合した効果を生じうる前記撮像パラメータの情報を用いて撮像のアドバイス情報を生成するアドバイス情報生成ステップと、を有することを特徴とする。
【０００８】
本発明に係る撮像プログラムは、撮像パラメータに基づいて被写体を撮像して該被写体の画像データを生成する撮像装置に、前記撮像装置が順次生成した複数の前記画像データにおける前記被写体の動きを解析する画像解析ステップと、前記画像解析ステップの解析結果に応じて、露光期間中の前記被写体の動きに適合した効果を生じうる前記撮像パラメータの情報を用いて撮像のアドバイス情報を生成するアドバイス情報生成ステップと、を実行させることを特徴とする。
【発明の効果】
【０００９】
本発明によれば、露光期間中の被写体の動きに適合した効果を生じうる撮像パラメータの情報を用いて撮像のアドバイス情報を生成するため、ユーザに対して技術的に凝った撮像を行うことを喚起させることができる。
【図面の簡単な説明】
【００１０】
【図１】図１は、本発明の一実施の形態に係る撮像装置の機能構成を示すブロック図である。
【図２】図２は、本発明の一実施の形態に係る撮像装置の撮像部が行う分割露光の一例を示す図である。
【図３Ａ】図３Ａは、図２に示す分割露光を行って花火を撮像した場合の第１短露光期間に撮像した画像を模式的に示す図である。
【図３Ｂ】図３Ｂは、図２に示す分割露光を行って花火を撮像した場合の第２短露光期間に撮像した画像を模式的に示す図である。
【図４Ａ】図４Ａは、図２に示す分割露光を行って、動いている自動車を撮像した場合の第１短露光期間に撮像した画像を模式的に示す図である。
【図４Ｂ】図４Ｂは、図２に示す分割露光を行って、動いている自動車を撮像した場合の第２短露光期間に撮像した画像を模式的に示す図である。
【図５Ａ】図５Ａは、図３Ａおよび図３Ｂに示すような花火を撮像した場合のアドバイス画像の表示例（第１例）を示す図である。
【図５Ｂ】図５Ｂは、図３Ａおよび図３Ｂに示すような花火を撮像した場合のアドバイス画像の表示例（第２例）を示す図である。
【図６】図６は、図５Ａおよび図５Ｂにそれぞれ示すアドバイス画像の露光時間に対するピント位置の時間変化を示す図である。
【図７】図７は、図４Ａおよび図４Ｂに示す動く自動車を撮像した場合のアドバイス画像の表示例（第１例）を示す図である。
【図８Ａ】図８Ａは、図７に示すアドバイス画像の露光時間に対する焦点距離の時間変化を示す図である。
【図８Ｂ】図８Ｂは、図７に示すアドバイス画像の露光時間に対する撮像素子の位置の時間変化を示す図である。
【図９】図９は、図４Ａおよび図４Ｂに示す動く自動車を撮像した場合のアドバイス画像の表示例（第２例）を示す図である。
【図１０】図１０は、本発明の一実施の形態に係る撮像装置の画像ファイル生成部が生成する画像ファイルの構成を模式的に示す図である。
【図１１】図１１は、撮像パラメータ情報記憶部が記憶する情報を模式的に示す図である。
【図１２Ａ】図１２Ａは、本発明の一実施の形態に係る撮像装置が行う処理の概要を示すフローチャート（その１）である。
【図１２Ｂ】図１２Ｂは、本発明の一実施の形態に係る撮像装置が行う処理の概要を示すフローチャート（その２）である。
【図１３】図１３は、撮像画像およびアドバイス画像を含む表示画面の表示例を示す図である。
【図１４】図１４は、アドバイス画像拡大表示画面の表示例を示す図である。
【図１５】図１５は、アドバイス修正用画面の表示例を示す図である。
【図１６】図１６は、アドバイス反映モードが設定された場合のスルー画表示画面の表示例を示す図である。
【発明を実施するための形態】
【００１１】
以下、添付図面を参照して、本発明を実施するための形態（以下、「実施の形態」という）を説明する。なお、図面はあくまでも模式的なものであり、図面の相互間においても互いの寸法の関係や比率が異なる部分が含まれる場合がある。
【００１２】
図１は、本発明の一実施の形態に係る撮像装置の機能構成を示すブロック図である。同図に示す撮像装置１は、撮像パラメータに基づいて被写体を撮像して画像データを生成する撮像部２と、各種操作指示信号の入力を受け付ける入力部３と、撮像部２が撮像した画像を含む各種情報を表示する表示部４と、撮像装置１の動作を統括して制御する制御部５と、撮像装置１の動作等に関する情報を記憶する記憶部６と、を備える。
【００１３】
撮像装置１は、制御部５の制御のもとで、画像を撮像する撮像モード、画像を再生する再生モードおよび外部機器との間で画像データ等の情報を通信する画像通信モードのいずれかを設定可能である。このうち、撮像モードは、分割露光を行って撮像する分割露光モードと、ユーザに対して凝った画像の撮像をアドバイスするためのアドバイス画像に基づいた撮像処理を行うアドバイス反映モードとをさらに設定可能である。なお、撮像装置１が通常の撮像モードを設定可能に構成してもよいことはいうまでもない。
【００１４】
以下、撮像装置１の構成を詳細に説明する。
撮像部２は、焦点位置を決定するフォーカス光学系２１と、ズーム倍率を決定するズーム光学系２２と、フォーカス光学系２１およびズーム光学系２２を介して結像された光を光電変換して電気的な撮像信号を生成する撮像素子２３と、フォーカス光学系２１、ズーム光学系２２および撮像素子２３をそれぞれ駆動する駆動部２４とを有する。
【００１５】
各々が光学系の一部をなすフォーカス光学系２１およびズーム光学系２２は、１または複数のレンズを用いてそれぞれ構成され、光軸方向に沿って移動可能である。
【００１６】
撮像素子２３は、ＣＭＯＳ（Complementary  Metal  Oxide  Semiconducter）またはＣＣＤ（Charge  Coupled  Device）等のイメージセンサを用いて構成される。撮像素子２３は、フォーカス光学系２１およびズーム光学系２２が集光した光を光電変換することによって生の画像データ（ＲＡＷデータ）を生成する。撮像素子２３は、受光面と平行な方向に沿って２次元的に移動可能である。
【００１７】
駆動部２４は、フォーカス光学系２１、ズーム光学系２２および撮像素子２３をそれぞれ個別に駆動するアクチュエータを有する。駆動部２４は、駆動対象ごとに設けられる複数のアクチュエータを有していてもよいし、全ての駆動対象を個別に駆動させる１つのアクチュエータを有していてもよい。
【００１８】
撮像部２は、分割露光モードに設定されている場合、撮像時の露光期間を複数の短露光期間に分割し、各短露光期間で画像データを生成する。図２は、撮像部２が行う分割露光の一例を示す図である。図２では、全露光期間Ｔを、互いに等しい２つの短露光期間である第１短露光期間Ｔ1および第２短露光期間Ｔ2に分割した場合を例示している。
【００１９】
図３Ａは、図２に示す分割露光を行って花火を撮像した場合の第１短露光期間に撮像した画像を模式的に示す図である。図３Ａに示す短露光画像１０１は、花火１１１が広がり始めた頃の状況を模式的に示している。図３Ｂは、図３Ａと同じ花火を撮像した場合の第２短露光期間に撮像した画像を模式的に示す図である。図３Ｂに示す短露光画像１０２は、短露光画像１０１よりも花火１１１が空間的に広がった状況を模式的に示している。
【００２０】
図４Ａは、図２に示す分割露光を行って、動いている自動車を撮像した場合の第１短露光期間に撮像した画像を模式的に示す図である。図４Ａに示す短露光画像１０３は、自動車１２１が画面上で右斜め上方に位置し、画面上で中央部下方へ向けて移動している状態を示している。図４Ｂは、図４Ａと同じ自動車を撮像した場合の第２短露光期間に撮像した画像を模式的に示す図である。図４Ｂに示す短露光画像１０４は、自動車１２１が画面上で略中央部下方に位置しており、自動車１２１の大きさが短露光画像１０３における自動車１２１より大きい。すなわち、短露光画像１０４は、短露光画像１０３よりも自動車１２１が撮像装置１の近くに位置している状況で撮像された画像である。
【００２１】
撮像部２は、アドバイス反映モードに設定されている場合、後述するアドバイス画像の撮像パラメータの情報（撮像パラメータ情報）にしたがって被写体を撮像することにより、アドバイス反映画像データを生成する。
【００２２】
なお、撮像部２のうち、フォーカス光学系２１およびズーム光学系２２を撮像装置１本体に対して着脱可能な構成とすることも可能である。この場合には、フォーカス光学系２１およびズーム光学系２２を含むレンズ装置と撮像装置１本体との間で通信を行う機能を具備させればよい。また、短露光期間の数は２に限定されるわけではなく、３以上であってもよい。
【００２３】
入力部３は、表示部４の画面表示領域に積層して設けられるタッチパネルや、撮像装置１の本体表面に設けられる各種スイッチまたは各種ボタン等のユーザーインターフェースを用いて構成される。
【００２４】
表示部４は、液晶または有機ＥＬ（Electro  Luminescence）等からなる表示パネルを用いて構成される。表示部４は、入力部３が入力を受け付けたレリーズ信号に応じた画像データを所定時間（例えば３秒間）だけ表示するレックビュー表示、記憶部６が記憶する画像データを再生する再生表示、および撮像素子２３が連続的に生成する画像データに対応するライブビュー画像を時系列に沿って順次表示するライブビュー表示等を実行可能である。また、表示部４は、撮像装置１の操作情報および撮像動作に関する情報を表示することが可能である。
【００２５】
制御部５は、撮像部２が生成した画像データを取得する画像取得部５１と、入力部３が入力を受け付けた信号をもとに操作内容を判定する操作判定部５２と、画像取得部５１が取得した画像データに対して所定の画像処理を施す画像処理部５３と、画像処理部５３が処理を施した画像データを用いて被写体の動きを解析する画像解析部５４と、画像解析部５４の解析結果に応じてユーザに凝った撮像をアドバイスするためのアドバイス情報を生成するアドバイス情報生成部５５と、アドバイス反映画像データを補正する画像補正部５６と、撮像画像データおよびアドバイス情報を含む画像ファイルを生成する画像ファイル生成部５７と、撮像部２の撮像動作を制御する撮像制御部５８と、表示部４の表示動作を制御する表示制御部５９と、撮像部２が撮像を行う際の撮像パラメータを制御する撮像パラメータ制御部６０と、を有する。
【００２６】
画像処理部５３は、画像取得部５１が取得したＲＡＷデータに対して各種の画像処理を行って処理済みの画像データを生成する。画像処理部５３が行う画像処理には、オプティカルブラック減算処理、ホワイトバランス（ＷＢ）調整処理、同時化処理（撮像素子２３がベイヤー配列のカラーフィルタを有する場合）、カラーマトリクス演算処理、ガンマ補正処理、色再現処理およびエッジ強調処理等の少なくとも一部が含まれる。画像処理部５３は、上記各種処理後の画像データを所定の形式にしたがって圧縮して出力する。ここで、所定の形式としては、ＪＰＥＧ（Joint  Photographic  Experts  Group）方式、ＭｏｔｉｏｎＪＰＥＧ方式またはＭＰ４（Ｈ．２６４）方式等を挙げることができる。
【００２７】
画像処理部５３は、撮像装置１が分割露光モードに設定されている場合、各分割露光期間で撮像した画像データを積算することによって全露光期間における画像データを生成する。
【００２８】
画像解析部５４は、撮像部２が撮像した各短露光期間における複数の画像データを比較することにより、画像間における被写体の動きを解析し、アドバイス情報生成部５５によるアドバイス画像データの生成が可能であるか否かを判定する。例えば、画像間における被写体の動き量が所定値よりも大きい場合、画像解析部５４はアドバイス画像データの生成が不可能であると判定する。
【００２９】
アドバイス情報生成部５５は、露光期間中の被写体の動きに適合した効果を生じうる撮像パラメータの情報を用いて撮像のアドバイス情報を生成する。このような撮像パラメータの情報は、後述する撮像パラメータ情報記憶部６２に、被写体の動き情報と関連づけて記憶されている。このため、アドバイス情報生成部５５は、被写体の動き情報と関連する撮像パラメータの情報を撮像パラメータ情報記憶部６２から抽出し、該撮像パラメータの情報を用いて撮像のアドバイス情報を生成する。ここで、「露光期間中の被写体の動きに適合した効果を生じうる撮像パラメータの情報」とは、例えば被写体の動きに合わせてフォーカス光学系２１、ズーム光学系２２、および撮像素子２３の動きを合わせることによって得られる撮像パラメータの時間変化の情報（プロファイル情報）である。
【００３０】
アドバイス情報生成部５５は、画像解析部５４によってアドバイス画像データの生成が可能であると判定された場合、アドバイス画像データを生成する。具体的には、アドバイス情報生成部５５は、記憶部６の撮像パラメータ情報記憶部６２が記憶する撮像パラメータ情報に基づいて、補間等を用いたシミュレーションを行うことにより、アドバイス画像データを生成する。したがって、この場合のアドバイス情報はアドバイス画像データである。撮像パラメータ情報の具体例については後述する。
【００３１】
アドバイス情報生成部５５は、画像解析部５４によってアドバイス画像データの生成が不可能であると判定された場合、記憶部６から各短露光期間の画像データと最も相関が強いアドバイスパターン画像をアドバイス情報として抽出する。アドバイス情報生成部５５がアドバイスパターン画像データを抽出する際には、例えばテンプレートマッチング等の公知の手法を適用することにより、各短露光期間の画像データと最も相関が強いアドバイスパターン画像データを抽出する。
【００３２】
図５Ａは、図３Ａおよび図３Ｂに示すような花火を撮像した場合にアドバイス情報生成部５５が生成したアドバイス画像の表示例（第１例）を示す図である。図５Ａに示すアドバイス画像２０１は、花火２１１の撮像を開始した初期に相当する内周側がぼけており、時間が経過するにつれて（外周側へ行くにしたがって）ピントが合った場合の状況を模式的に示している。花火２１１は、内側から外側へいくにしたがって徐々に細くなっている。
【００３３】
図５Ｂは、図３Ａおよび図３Ｂに示すような花火を撮像した場合にアドバイス情報生成部５５が生成したアドバイス画像の表示例（第２例）を示す図である。図５Ｂに示すアドバイス画像２０２は、花火２１２の撮像を開始した初期にピントが合っており、時間が経過するにつれてぼけていった場合の状況を模式的に示している。花火２１２は、内側から外側へいくにしたがって徐々に太くなっている。
【００３４】
図６は、図５Ａおよび図５Ｂにそれぞれ示すアドバイス画像２０１および２０２の撮像パラメータのプロファイル情報を示す図である。具体的には、図６に示すプロファイル情報は、撮像パラメータがピント位置であり、露光時間に対するピント位置の時間変化（露光間のピント動作）を示す情報である。図６において、プロファイル曲線３０１がアドバイス画像２０１に対応し、プロファイル曲線３０２がアドバイス画像２０２に対応している。
【００３５】
プロファイル曲線３０１は、露光時間の初期にピントが最至近に合ってぼけており、時間が経過するにつれて、花火のピント位置である無限遠側へ徐々に変化していき、最終的に無限遠へ到達して合焦状態となる。
【００３６】
一方、プロファイル曲線３０２は、露光時間の初期にピントが無限遠側に合って合焦しており、時間が経過するにつれてピント位置が最至近側へ徐々に変化していき、最終的に最至近へ到達してぼけた状態となる。
【００３７】
図７は、図４Ａおよび図４Ｂで示す動く自動車を撮像した場合にアドバイス情報生成部５５が生成したアドバイス画像の表示例（第１例）を示す図である。図７に示すアドバイス画像２０３は、全露光期間の自動車２２１の位置および大きさを一定とするように、フォーカス光学系２１、ズーム光学系２２および撮像素子２３を駆動部２４によって駆動した場合に生成されるアドバイス画像である。図７では、自動車２２１のみの位置が変化せず、背景等の他の被写体は流し撮りをしたように表示されている状況を模式的に示している。
【００３８】
図８Ａおよび図８Ｂは、図７に示すアドバイス画像２０３の撮像パラメータのプロファイル情報を示す図である。
図８Ａに示すプロファイル情報は、撮像パラメータが焦点距離であり、露光時間に対する焦点距離の時間変化（露光間のズーム動作）を示す情報である。図８Ａに示すプロファイル直線３０３が示すように、焦点距離は、露光時間が経過するにつれて望遠側（テレ側）から広角側（ワイド側）へと変化する。
また、図８Ｂに示すプロファイル情報は、撮像パラメータが撮像素子２３の位置であり、露光時間に対する撮像素子２３の位置（センサ位置）の時間変化を示す情報である。図８Ｂに示すプロファイル直線３０４が示すように、撮像素子２３の位置は、撮像制御部５８の制御のもとで駆動部２４が撮像素子２３を駆動することにより、露光時間の経過とともに右寄りから中央へと変化する。
【００３９】
アドバイス情報生成部５５は、撮像パラメータ情報記憶部６２から抽出したプロファイル直線３０３、３０４を用いてアドバイス画像２０３のデータを生成する。
【００４０】
図９は、図４Ａおよび図４Ｂに示すような動く自動車を撮像した場合にアドバイス情報生成部５５が生成したアドバイス画像の表示例（第２例）を示す図である。図９に示すアドバイス画像２０４は、高速シャッターで自動車２２２を撮像した場合の画像である。
【００４１】
画像補正部５６は、撮像部２がアドバイス画像データにおける撮像パラメータのプロファイル情報にしたがって生成したアドバイス反映画像データに対して補正を行うか否かを判定し、補正を行う必要がある場合にはそのアドバイス反映画像データを補正する。具体的には、画像補正部５６は、アドバイス反映画像データにおける各種撮像パラメータを、各々に対して設定される閾値と比較することにより、補正の要否を判定する。補正が必要な場合、画像補正部５６は該当する撮像パラメータを適切な値に変更することによってアドバイス反映画像データを補正する。この際、画像補正部５６は、撮像パラメータのプロファイル情報を変更して撮像パラメータ情報記憶部６２に記憶させることにより、それ以後のアドバイス反映画像データの生成において、変更後のプロファイル情報を適用するようにしてもよい。画像補正部５６によるプロファイル情報の変更内容を以後のアドバイス反映画像データの生成に反映させることにより、ユーザはより自分の好みにあった効果を奏する自分だけの画像を撮像することが可能となる。
【００４２】
画像ファイル生成部５７は、画像処理部５３が処理を施した画像データに対して撮像情報やアドバイス画像等の情報を含む画像ファイルを生成する。図１０は、画像ファイル生成部５７が生成する画像ファイルの構成を模式的に示す図である。同図に示す画像ファイル４０１は、撮像画像データ４０２、撮像情報４０３、サムネイル画像データ４０４、アドバイス画像データ（Ｉ）４０５、プロファイル情報（Ｉ）４０６、アドバイス画像データ（ＩＩ）４０７、およびプロファイル情報（ＩＩ）４０８を有する。なお、画像ファイル４０１に、画像解析部５４が解析した被写体の動き情報を付加してもよい。
【００４３】
撮像情報４０３には、撮像画像データ４０２を生成した際の情報として、例えば生成日時、露出、ピント位置、ＩＳＯ感度等の情報が含まれる。
【００４４】
アドバイス画像データ（Ｉ）４０５およびアドバイス画像データ（ＩＩ）４０７は、例えばアドバイス画像２０１および２０２にそれぞれ対応するデータである。この場合、プロファイル情報（Ｉ）４０６およびプロファイル情報（ＩＩ）４０８は、プロファイル曲線３０１および３０２にそれぞれ対応する。アドバイス情報生成部５５がアドバイス画像データを生成せずにアドバイスパターン画像を抽出した場合、画像ファイル４０１には、アドバイス画像データ（Ｉ）４０５等の代わりに、アドバイスパターン画像データが含まれる。なお、画像ファイル４０１が有するアドバイス画像データまたはアドバイスパターン画像データの数は、あくまでも一例に過ぎない。
【００４５】
撮像制御部５８は、撮像部２に対し、設定された撮像モードに応じた画像データを生成させる制御を行う。例えば、撮像装置１が分割露光モードに設定されている場合、撮像部２に対し、撮像する際の露光期間を複数の短露光期間に分割し、各短露光期間で露光した画像データを生成させる制御を行う。また、撮像制御部５８は、撮像装置１がアドバイス反映モードに設定されている場合、撮像部２に対して、選択されたアドバイス画像データにおける撮像パラメータのプロファイル情報に基づいて撮像を行ってアドバイス反映画像データを生成させる制御を行う。
【００４６】
撮像パラメータ制御部６０は、アドバイス画像の選択に応じて撮像パラメータを変更したり、分割露光モードとアドバイス反映モードで撮像パラメータを切り替えたりする機能を有する。また、撮像パラメータ制御部６０は、入力部３が撮像パラメータの変更指示信号の入力を受け付けた場合、この変更指示信号に基づいて撮像パラメータを変更する機能も有する。
【００４７】
以上の機能構成を有する制御部５は、ＣＰＵ（Central  Processing  Unit）等の汎用プロセッサを用いて構成される。
【００４８】
記憶部６は、画像ファイル生成部５７によって生成された画像ファイルを記憶する画像ファイル記憶部６１と、アドバイス画像データを生成するための撮像パラメータの情報を記憶する撮像パラメータ情報記憶部６２と、アドバイスパターン画像データを記憶するアドバイスパターン画像記憶部６３とを有する。また、記憶部６は、本実施の形態に係る撮像方法を実行するための撮像プログラムを含む各種プログラムを記憶する。
【００４９】
撮像パラメータ情報記憶部６２は、被写体の特徴を示す情報とその被写体に関するアドバイス画像データを生成するための撮像パラメータの情報とを関連づけて記憶している。ここで、被写体の特徴を示す情報としては、例えば被写体の代表点の動きベクトル（被写体の動きパターン）、輝度分布、エッジ、形状等の特徴量を挙げることができる。
【００５０】
図１１は、撮像パラメータ情報記憶部６２が記憶する情報を模式的に示す図である。撮像パラメータ情報記憶部６２は、被写体の動き情報とその動き情報に適合した効果を生じるような撮像パラメータの時間変化とを対応づけて記憶している。例えば、被写体の動き情報として、代表点の動きベクトルが画像の中心から放射状に広がっている場合、撮像パラメータ情報記憶部６２は、その動き情報と、図６に示すピントのプロファイル曲線３０１とを関連づけて記憶している。また、被写体の動き情報として、代表点の動きベクトルが全周方向から画像の中心へ向かっている場合、撮像パラメータ情報記憶部６２は、その動き情報と、図６に示すピントのプロファイル曲線３０２とを関連づけて記憶している。また、被写体の動き情報として、代表点の動きベクトルが画像の斜め右上から斜め左下へ向かっている場合、撮像パラメータ情報記憶部６２は、その動き情報と、図８Ａに示すプロファイル直線３０３および図８Ｂに示すプロファイル直線３０４とを関連づけて記憶している。なお、１つの動き情報に対して互いに異なる複数の撮像パラメータの時間変化（撮像パラメータの種類が異なるものも含む）をそれぞれ対応づけてもよい。その場合には、ユーザが所望の撮像パラメータの時間変化を選択する構成とすればよい。また、ユーザの選択履歴等を参照して複数の撮像パラメータの時間変化に優先度を付与することも可能である。
【００５１】
なお、撮像パラメータ情報記憶部６２は、被写体の動き情報と撮像パラメータの情報を関連づけて記憶する代わりに、典型的な被写体の各短露光期間における画像と撮像パラメータの情報とを関連づけて記憶するようにしてもよい。具体的には、例えば図３Ａに示す短露光画像１０１または図３Ｂに示す短露光画像１０２と図６に示すプロファイル曲線３０１または３０２とを関連づけて記憶するようにしてもよい。
【００５２】
アドバイスパターン画像記憶部６３は、アドバイスパターン画像データとともにそのアドバイスパターン画像データにおける撮像パラメータ情報も記憶している。
【００５３】
記憶部６は、ＲＡＭ（Random  Access  Memory）等の揮発性メモリおよびＲＯＭ（Read  Only  Memory）等の不揮発性メモリを用いて構成される。このうち、ＲＡＭは、画像処理部５３から入力される処理済みの画像データおよび撮像装置１の処理中の情報を一時的に記憶する一時記憶部としての機能を有する。なお、外部から装着可能なメモリカード等のコンピュータ読み取り可能な記録媒体を用いて記憶部６を構成してもよい。
【００５４】
図１２Ａおよび図１２Ｂは、撮像装置１が行う処理の概要を示すフローチャートである。まず、ステップＳ１〜Ｓ１２の処理について、図１２Ａを参照して説明する。
【００５５】
ステップＳ１において、撮像装置１は自身が撮像モードに設定されているか否かを判定する（ステップＳ１）。まず、撮像装置１が撮像モードに設定されている場合を説明する（ステップＳ１：Ｙｅｓ）。この場合、画像取得部５１が、撮像部２によって生成された画像データを取得して画像処理部５３が処理を施した画像データを生成すると（ステップＳ２）、表示制御部５９はその画像データに対応する画像（スルー画）を表示部４に表示させる（ステップＳ３）。
【００５６】
この後、入力部３がレリーズ信号の入力を受け付けた場合（ステップＳ４：Ｙｅｓ）、撮像装置１はステップＳ５へ移行する。一方、入力部３がレリーズ信号の入力を受け付けない場合（ステップＳ４：Ｎｏ）、撮像装置１は後述するステップＳ１８（図１２Ｂを参照）へ移行する。
【００５７】
ステップＳ５において、撮像装置１が分割露光モードに設定されている場合（ステップＳ５：Ｙｅｓ）、撮像制御部５８は、撮像部２に撮像を開始させる（ステップＳ６）。その後、分割露光タイミングになったとき（ステップＳ７：Ｙｅｓ）、画像取得部５１は撮像部２が撮像した短露光期間の画像データを取得し、記憶部６へ書き込んで記憶させる（ステップＳ８）。
【００５８】
続いて、撮像制御部５８は、分割露光を終了するか否かを判断する（ステップＳ９）。判断の結果、分割露光を終了する場合（ステップＳ９：Ｙｅｓ）、撮像装置１はステップＳ１０へ移行する。一方、判断の結果、分割露光を終了しない場合（ステップＳ９：Ｎｏ）、撮像装置１はステップＳ７に戻る。
【００５９】
ステップＳ１０において、画像処理部５３は、分割露光によって得られた全ての短露光期間の画像データを記憶部６から読み出して積算することにより、全露光期間の撮像画像データを生成する（ステップＳ１０）。
【００６０】
その後、表示制御部５９は、画像処理部５３が生成した撮像画像データに対応する撮像画像を表示部４に表示させる（ステップＳ１１）。
【００６１】
ステップＳ５において、撮像装置１が分割露光モードに設定されておらず、アドバイス反映モードに設定されている場合（ステップＳ５：Ｎｏ）、撮像パラメータ制御部６０は、撮像パラメータ情報記憶部６２を参照し、選択されたアドバイス画像に応じて撮像パラメータ情報を切り替える（ステップＳ１２）。続いて、撮像制御部５８は、撮像部２に撮像を開始させる（ステップＳ１３）。この後、撮像装置１は、ステップＳ１０へ移行し、撮像部２が撮像した画像データに画像処理部５３が所定の画像処理を施すことによって処理済みの撮像画像データを生成する。以下、この撮像画像データを「アドバイス反映画像データ」という。
【００６２】
ステップＳ７において、分割露光タイミングでなければ（ステップＳ７：Ｎｏ）、撮像装置１はステップＳ９へ移行する。
【００６３】
次に、ステップＳ１１に続くステップＳ１４〜Ｓ３４の処理について、図１２Ｂを参照して説明する。
【００６４】
ステップＳ１０で生成された撮像画像データがアドバイス反映画像データである場合（ステップＳ１４：Ｙｅｓ）、画像補正部５６は、アドバイス反映画像データを補正する必要があるか否かを判定する（ステップＳ１５）。判定の結果、アドバイス反映画像データを補正する必要がある場合（ステップＳ１５：Ｙｅｓ）、画像補正部５６はアドバイス反映画像データに対して補正を行う（ステップＳ１６）。なお、このステップＳ１６で行った補正処理に対応する撮像パラメータ情報を、次回以降のアドバイス反映撮像時に使用するようにしてもよい。
【００６５】
続いて、画像ファイル生成部５７は、補正したアドバイス反映画像データ（撮像画像データ）、撮像情報、サムネイル画像データ、アドバイス画像データおよび補正後のプロファイル情報を用いて画像ファイルを生成し、画像ファイル記憶部６１に記憶させる（ステップＳ１７）。このステップＳ１７で生成される画像ファイルは、例えば図１０に示す画像ファイル４０１である。
【００６６】
ステップＳ１５において、アドバイス反映画像データを補正する必要がない場合（ステップＳ１５：Ｎｏ）、撮像装置１はステップＳ１７へ移行する。この場合、ステップＳ１７において、画像ファイル生成部５７は、補正を行わないアドバイス反映画像データを撮像画像データとして画像ファイルを生成する。
【００６７】
ステップＳ１７の後、入力部３が処理を終了する指示入力を受け付けた場合（ステップＳ１８：Ｙｅｓ）、撮像装置１は一連の処理を終了する。一方、入力部３が処理を終了する指示入力を受け付けない場合（ステップＳ１８：Ｎｏ）、撮像装置１はステップＳ１（図１２Ａを参照）へ戻る。
【００６８】
ステップＳ１０で生成された撮像画像データがアドバイス反映画像データではない場合（ステップＳ１４：Ｎｏ）、画像解析部５４は、分割露光した複数の画像データを用いて画像解析を行う（ステップＳ１９）。具体的には、画像解析部５４は、分割露光した複数の画像データを比較することによって被写体の動きを解析し、アドバイス画像データを生成可能であるか否かを判定する。
【００６９】
画像解析部５４がアドバイス画像データを生成可能であると判定した場合（ステップＳ２０：Ｙｅｓ）、アドバイス情報生成部５５は、撮像パラメータ情報記憶部６２からプロファイル情報を抽出し、そのプロファイル情報に基づいてアドバイス画像データを生成する（ステップＳ２１）。この後、表示制御部５９は、生成されたアドバイス画像データに対応するアドバイス画像を表示部４に表示させる（ステップＳ２２）。図１３は、表示部４における撮像画像およびアドバイス画像を含む画面表示例を示す図である。図１３に示す表示画面５０１において、表示部４は、撮像画像（レックビュー画像）５０２を表示するとともに、２つのアドバイス画像２０１、２０２を表示する。撮像画像５０２は、花火を模式的に表している。なお、撮像画像５０２は、上述したステップＳ１１の処理において表示される。換言すると、撮像画像５０２は、アドバイス画像２０１、２０２よりも早いタイミングで表示が始まる。
【００７０】
一方、画像解析部５４がアドバイス画像データを生成不可能であると判定した場合（ステップＳ２０：Ｎｏ）、アドバイス情報生成部５５は、アドバイス画像データを生成する代わりに、アドバイスパターン画像記憶部６３から全露光期間の画像データに類似するアドバイスパターン画像データを抽出する（ステップＳ２３）。この後、表示制御部５９は、抽出されたアドバイスパターン画像を表示部４に表示させる（ステップＳ２４）。
【００７１】
ステップＳ２２またはステップＳ２４の後、入力部３が、表示部４が表示しているアドバイス画像またはアドバイスパターン画像の選択入力を受け付けた場合（ステップＳ２５：Ｙｅｓ）、表示制御部５９は、選択されたアドバイス画像またはアドバイスパターン画像を拡大して表示部４に表示させる（ステップＳ２６）。
【００７２】
図１４は、図１３に示す表示画面５０１でアドバイス画像２０１が選択された場合に表示部４が表示するアドバイス画像拡大表示画面の表示例を模式的に示す図である。図１４に示すアドバイス画像拡大表示画面６０１において、表示部４は、アドバイス画像２０１を拡大表示するとともに、その右側領域にアドバイス反映モードであることを示すアドバイス反映モードアイコン６１１、アドバイス画像の撮像パラメータのプロファイル情報の修正指示を受け付けるための修正用画面への遷移の指示入力を受け付ける修正アイコン６１２、表示中のアドバイス画像の内容を次回以降の撮像に反映させる設定入力を受け付ける反映アイコン６１３、表示中のアドバイス画像を記憶部６に記憶させる指示入力を受け付ける記憶アイコン６１４、およびアドバイス画像拡大表示画面６０１の表示を終了する指示入力を受け付ける終了アイコン６１５を有する。これらの各種アイコンに対応する画面上の位置がユーザの指等によって押下されると、入力部３の一部をなすタッチパネルは、押下された位置のアイコンに対応する信号の入力を受け付けて制御部５へ出力する。以下、押下された位置のアイコンに対応する信号の入力を受け付けることを、その位置のアイコンが「選択される」と表現することもある。
【００７３】
ステップＳ２６の後、入力部３がアドバイス画像におけるアドバイス設定内容を修正するアドバイス修正用画面への遷移入力を受け付けた場合（ステップＳ２７：Ｙｅｓ）、表示制御部５９は、アドバイス修正用画面を表示部４に表示させる（ステップＳ２８）。図１５は、アドバイス画像拡大表示画面６０１の修正アイコン６１２が選択された場合に表示部４が表示するアドバイス修正用画面の表示例を示す図である。図１５に示すアドバイス修正用画面６０２は、プロファイル情報６２１、決定アイコン６２２、終了アイコン６２３、ならびに開始タイミング設定用の自動アイコン６２４および手動アイコン６２５を表示するとともに、画面右下部にアドバイス画像２０１を縮小して表示する。
【００７４】
プロファイル情報６２１は、アドバイス画像２０１に対応するプロファイル曲線３０１を有する。ユーザがプロファイル曲線３０１を指でタッチしながら動かすと、タッチパネルがプロファイル曲線３０１の変更指示信号の入力を受け付けて制御部５へ出力する。制御部５では、撮像パラメータ制御部６０が、変更指示信号に応じて撮像パラメータを変更した後、表示制御部５９が変更後の撮像パラメータに応じた形状を有するプロファイル曲線３０１を表示部４に表示させる。このようにして、プロファイル曲線３０１の形状は、ユーザからの変更指示信号の入力によって変化する。プロファイル曲線３０１の形状が変化すると、変化後のプロファイル曲線の形状に応じてアドバイス画像も変化する。例えば、図１５に示す状態からユーザがプロファイル曲線３０１を図６のプロファイル曲線３０２に変化させた場合、アドバイス修正用画面６０２の右下部には、図５Ｂに示すアドバイス画像２０２が表示される。プロファイル曲線３０１からプロファイル曲線３０２に変化する途中においても、アドバイス画像はプロファイル曲線の形状に応じて逐次変化していく。
【００７５】
この後、入力部３がアドバイス修正用画面上で修正内容の決定指示入力を受け付けた場合（ステップＳ２９：Ｙｅｓ）、撮像パラメータ制御部６０は撮像パラメータの設定変更を行う（ステップＳ３０）。図１５に示すアドバイス修正用画面６０２の場合、入力部３のタッチパネルは、決定アイコン６２２の選択によって修正内容の決定指示入力を受け付ける。ステップＳ３０の後、撮像装置１はステップＳ１８へ移行する。
【００７６】
一方、入力部３がアドバイス修正用画面上で修正内容の決定指示入力を受け付けない場合（ステップＳ２９：Ｎｏ）、撮像装置１はステップＳ１８へ移行する。図１５に示すアドバイス修正用画面６０２の場合、この状況は、終了アイコン６２３が選択されたときに相当する。なお、アドバイス修正用画面上に、アドバイス画像拡大表示画面６０１へ戻るための戻るアイコンをさらに設けておき、この戻るアイコンが選択された場合には、ステップＳ２６へ戻ってアドバイス画像拡大表示画面６０１を再度表示するようにしてもよい。
【００７７】
ステップＳ２７で入力部３がアドバイス修正用画面への遷移入力を受け付けない場合（ステップＳ２７：Ｎｏ）において、反映指示信号の入力を受け付けたとき（ステップＳ３１：Ｙｅｓ）、撮像パラメータ制御部６０は、ステップＳ２５で選択されたアドバイス画像またはアドバイスパターン画像に対応した撮像パラメータの設定を行う（ステップＳ３２）。その後、撮像装置１はステップＳ１８へ移行する。図１４に示すアドバイス画像拡大表示画面６０１の場合、入力部３のタッチパネルは、反映アイコン６１３の選択によって反映指示信号の入力を受け付ける。
【００７８】
ステップＳ２７で入力部３がアドバイス修正用画面への遷移入力を受け付けない場合（ステップＳ２７：Ｎｏ）において、反映指示信号の入力を受け付けないとき（ステップＳ３１：Ｎｏ）、撮像装置１はステップＳ３３へ移行する。
【００７９】
ステップＳ３３において、入力部３が記憶指示信号の入力を受け付けた場合（ステップＳ３３：Ｙｅｓ）、撮像装置１はステップＳ１７へ移行する。このとき、画像ファイル生成部５７は、表示中のアドバイス画像を撮像画像として画像ファイルを生成する。図１４に示すアドバイス画像拡大表示画面６０１の場合、入力部３のタッチパネルが記憶アイコン６１４の選択によって記憶指示信号の入力を受け付ける。
【００８０】
ステップＳ３３で入力部３が記憶指示信号の入力を受け付けない場合（ステップＳ３３：Ｎｏ）において、入力部３がアドバイス反映モードの設定入力を受け付けたとき（ステップＳ３４：Ｙｅｓ）、撮像装置１はステップＳ３に戻る。図１６は、この場合に表示部４が表示するスルー画表示画面の表示例を示す図である。図１６に示すスルー画表示画面７０１には、スルー画７１１、アドバイス反映モードアイコン７１２および終了アイコン７１３が表示される。なお、図１６において、スルー画７１１の具体的な表示は省略している。
【００８１】
アドバイス反映モードアイコン７１２は、アドバイス反映モードが設定中であることを示すために、図１４に示すアドバイス反映モードアイコン６１１と表示態様が異なっており、手のマークの外側に矩形の枠が表示されている。スルー画表示画面７０１においてアドバイス反映モードアイコン７１２が選択された場合、入力部３のタッチパネルは撮像装置１のモード設定を分割露光モードに変更する変更指示入力を受け付ける。制御部５が分割露光モードに設定変更すると、表示制御部５９は、スルー画表示画面７０１からアドバイス反映モードアイコン７１２を削除した画面を表示部４に表示させる。
【００８２】
ステップＳ３３で入力部３が記憶指示信号の入力を受け付けない場合（ステップＳ３３：Ｎｏ）において、入力部３がアドバイス反映モードの設定入力を受け付けないとき（ステップＳ３４：Ｎｏ）、撮像装置１はステップＳ１８へ移行する。
【００８３】
ステップＳ２５において、入力部３が、表示部４に表示中のアドバイス画像またはアドバイスパターン画像の選択入力を受け付けない場合（ステップＳ２５：Ｎｏ）、撮像装置１はステップＳ１８へ移行する。
【００８４】
次に、再び図１２Ａを参照して、ステップＳ１で撮像装置１が撮像モードに設定されていない場合（ステップＳ１：Ｎｏ）を説明する。この場合において、撮像装置１が再生モードに設定されているとき（ステップＳ３５：Ｙｅｓ）、表示制御部５９は所定の画像を表示部４に再生して表示させる（ステップＳ３６）。
【００８５】
続いて、入力部３が再生画像を変更する指示入力を受け付けた場合（ステップＳ３７：Ｙｅｓ）、表示制御部５９は指示に応じて変更した画像を表示部４に再生表示させる（ステップＳ３８）。具体的には、再生表示画面上で画像変更の指示入力を受け付けると、表示制御部５９は、まず選択可能な画像を表示部４にサムネイル表示させ、ユーザに変更する画像の選択入力を促す。この後、サムネイル表示している画面上でユーザが所望する画像の選択入力を受け付けると、表示制御部５９は表示部４に対し、選択された画像を拡大して再生表示させる。なお、撮像装置１が再生モードに設定されている場合に、表示制御部５９が、画像データをもとにアドバイス画像を含めて表示部４に再生表示させるようにしてもよい。
【００８６】
ステップＳ３７において、入力部３が再生画像を変更する指示入力を受け付けない場合（ステップＳ３７：Ｎｏ）、表示制御部５９はステップＳ１８へ移行する。
【００８７】
ステップＳ３５で撮像装置１が再生モードに設定されていない場合（ステップＳ３５：Ｎｏ）、撮像装置１は画像通信モードに設定されている。撮像装置１は、指定された外部機器と所定の画像通信処理を行う（ステップＳ３９）。その後、撮像装置１はステップＳ１８へ移行する。
【００８８】
以上説明した本発明の一実施の形態によれば、撮像部が順次生成した複数の画像データにおける被写体の動きを解析し、解析結果に応じて、露光期間中の被写体の動きに適合した効果を生じうる撮像パラメータの情報を用いて撮像のアドバイス情報を生成するため、たとえユーザが初心者であったとしてもアドバイス情報を頼りに技術的に凝った撮像を行うことを喚起させることができる。
【００８９】
また、本実施の形態によれば、アドバイス情報生成部は、撮像パラメータのプロファイル情報を用いたシミュレーションを行うことによりアドバイス画像データを生成可能である一方、アドバイス画像データを生成することができない場合に所定のアドバイスパターン画像データを抽出可能であるため、撮像画像データに応じて適切なアドバイス情報を生成することができる。
【００９０】
上述した実施の形態では、露光期間を複数の短露光期間へ分割することによって被写体の動きを検出していたが、被写体の動きを検出するセンサを設ける構成としてもよい。このようなセンサとして、例えば別の撮像素子、明るさ検出用のセンサ等を撮像装置に具備してもよいし、被写体側に加速度センサを設置し、加速度センサの検出結果を有線または無線通信によって撮像装置へ送信するようにしてもよい。
【００９１】
また、被写体に加速度センサを設置し、被写体の動きを検出してアドバイス画像データを生成するようにしてもよい。例えば、被写体が人間の場合、加速度センサによってジャンプした状態を検出し、そのジャンプの最高点または最下点にいる状態をアドバイス画像データとして生成するようにしてもよい。
【００９２】
また、本実施の形態に係る撮像装置をレンズ型のカメラに適用し、そのカメラとスマートフォンなどの携帯機器とを通信接続することにより、入力部３および表示部４の機能を携帯機器側で実現してもよい。
【００９３】
なお、本実施の形態に係る撮像装置は、例えば医療用および工業用の内視鏡のように、撮像機能を備えた装置全般に適用することが可能である。
【００９４】
本明細書におけるフローチャートの説明では、「まず」、「その後」、「続いて」等の表現を用いてステップ間の処理の前後関係を明示していたが、上述した実施の形態を実施するために必要な処理の順序は、それらの表現によって一意的に定められるわけではない。すなわち、本明細書で記載したフローチャートにおける処理の順序は、矛盾のない範囲で変更することができる。
【００９５】
また、本明細書においてフローチャートを用いて説明した処理のアルゴリズムは、プログラムとして記述することが可能である。このようなプログラムは、コンピュータ内部の記憶部が記録してもよいし、コンピュータ読み取り可能な記録媒体に記録してもよい。プログラムの記憶部または記録媒体への記録は、コンピュータまたは記録媒体を製品として出荷する際に行ってもよいし、通信ネットワークを介したダウンロードにより行ってもよい。
【００９６】
このように、本発明は、ここでは記載していない様々な実施の形態を含みうるものであり、特許請求の範囲によって特定される技術的思想の範囲内で種々の設計変更等を行うことが可能である。
【符号の説明】
【００９７】
１・・・撮像装置；２・・・撮像部；３・・・入力部；４・・・表示部；５・・・制御部；６・・・記憶部；５３・・・画像処理部；５４・・・画像解析部；５５・・・アドバイス情報生成部；５６・・・画像補正部；５７・・・画像ファイル生成部；５８・・・撮像制御部；５９・・・表示制御部；６０・・・撮像パラメータ制御部；６１・・・画像ファイル記憶部；６２・・・撮像パラメータ情報記憶部；６３・・・アドバイスパターン画像記憶部；１０１〜１０４・・・短露光画像；２０１〜２０４・・・アドバイス画像；３０１，３０２・・・プロファイル曲線；３０３，３０４・・・プロファイル直線；４０１・・・画像ファイル；５０１・・・表示画面；６０１・・・アドバイス画像拡大表示画面；６０２・・・アドバイス修正用画面；７０１・・・スルー画表示画面
【図１】
2017069673.tif 000003
【図２】
2017069673.tif 000004
【図３Ａ】
2017069673.tif 000005
【図３Ｂ】
2017069673.tif 000006
【図４Ａ】
2017069673.tif 000007
【図４Ｂ】
2017069673.tif 000008
【図５Ａ】
2017069673.tif 000009
【図５Ｂ】
2017069673.tif 000010
【図６】
2017069673.tif 000011
【図７】
2017069673.tif 000012
【図８Ａ】
2017069673.tif 000013
【図８Ｂ】
2017069673.tif 000014
【図９】
2017069673.tif 000015
【図１０】
2017069673.tif 000016
【図１１】
2017069673.tif 000017
【図１２Ａ】
2017069673.tif 000018
【図１２Ｂ】
2017069673.tif 000019
【図１３】
2017069673.tif 000020
【図１４】
2017069673.tif 000021
【図１５】
2017069673.tif 000022
【図１６】
2017069673.tif 000023